(57)【特許請求の範囲】
【請求項１】
液体を吐出するために利用されるエネルギーを発生する複数のエネルギー発生素子が第１の方向に配列される複数のエネルギー発生素子列と、複数の前記エネルギー発生素子列に流路を介して液体を供給する、前記第１の方向に延在する供給口と、が形成される基板を有する液体吐出ヘッドにおいて、
前記複数のエネルギー発生素子列は、前記基板の一端部側に形成される第１のエネルギー発生素子列と、前記基板の中央部側に形成される、前記第１のエネルギー発生素子列により吐出される液滴より多い量の液滴を吐出する第２のエネルギー発生素子列と、を含み、前記第１のエネルギー発生素子列に含まれる各々のエネルギー発生素子には１本の流路が接続され、前記第２のエネルギー発生素子列に含まれる各々のエネルギー発生素子には一方側に延在する第１流路と、前記一方側とは反対の他方側に延在する第２流路が接続されることを特徴とする液体吐出ヘッド。
【請求項２】
前記供給口は、前記第１のエネルギー発生素子列と前記第２のエネルギー発生素子列との間に形成される第１の供給口と、前記第２のエネルギー発生素子列に対して前記第１の供給口が形成される側とは反対側に形成される第２の供給口と、を含む請求項１に記載の液体吐出ヘッド。
【請求項３】
前記基板の前記一端部側とは反対の他端部側に、前記第２のエネルギー発生素子列により吐出される液滴より少ない量の液滴を吐出する第３のエネルギー発生素子列が形成されており、前記第３のエネルギー発生素子列に含まれる各々のエネルギー発生素子には１本の流路が接続される請求項１または２に記載の液体吐出ヘッド。
【請求項４】
前記第１の供給口および前記第２の供給口は、前記第１の方向に配列される複数の供給口からなる請求項２または３に記載の液体吐出ヘッド。
【請求項５】
前記第２のエネルギー発生素子列に含まれる各々のエネルギー発生素子に接続される前記第１流路と前記第２流路は、エネルギー発生素子に対して対称に形成されている請求項１から４のいずれかに記載の液体吐出ヘッド。
【請求項６】
前記第２のエネルギー発生素子列に含まれる各々のエネルギー発生素子の間に流路壁が形成されている請求項１から５のいずれかに記載の液体吐出ヘッド。
【発明の詳細な説明】
【技術分野】
【０００１】
本発明は、吐出エネルギー発生素子にエネルギーを供給して液体にエネルギーを与え、吐出口から液体を吐出する液体吐出ヘッドに関する。
【背景技術】
【０００２】
従来、一般に用いられているインクジェット記録装置における液体吐出ヘッドとしての記録ヘッドにおいては、オリフィスプレートと液体供給口等が形成された基板とが貼り合わされて形成されたものが多く製造されている。このような記録ヘッドの構造を、図１１（ａ）、（ｂ）に示す。図１１（ａ）には、従来の液体吐出ヘッド５０１の平面図が示されており、図１１（ｂ）には、従来の液体吐出ヘッド５０１における図１１（ａ）のＡ−Ａ’線に沿う断面図が示されている。この形式の記録ヘッドにおいては、基板５０３とオリフィスプレート５０２とが貼り合わされることで、それらの間の空間の一部に、共通液室５０４が形成されている。基板５０３には、基板を貫通するように液体供給口５０５が形成されており、その液体供給口５０５は共通液室５０４に連通している。また、共通液室５０４に連通して液体流路５０７が延びており、液体流路５０７における共通液室５０４と逆側の端部には、圧力室５０８が形成されている。オリフィスプレート５０２には、圧力室５０８に連通して吐出口５０６が形成されている。吐出口５０６に対応した位置には、圧力室５０８内の液体に吐出エネルギーを供給するための吐出エネルギー発生素子としてのヒータ５０９が配置されている。液体供給口５０５を介して共通液室５０４に供給された液体は、液体流路５０７を介して圧力室５０８に供給され、圧力室５０８内でヒータ５０９によって液体にエネルギーが供給されて吐出口５０６から液体が吐出される。
【０００３】
図１１（ａ）、（ｂ）に示される記録ヘッド５０１では、液体は液体供給口５０５から吐出口５０６へ一方向にのみ供給される。
【０００４】
このような記録ヘッド５０１が用いられて、液体が吐出されて記録が行われる場合、ヒータ５０９によって発生される気泡は共通液室５０４から液体供給口５０５に向かう方向に偏って成長する。従って、吐出される液体はその方向に力を受けながら吐出される。このとき、吐出される液体の尾引きの部分が共通液室５０４方向に引っ張られながらちぎれるので、いわゆるサテライトが小さく形成され、それが記録媒体に着弾せずプリンタ筐体内部で浮遊するミストとなり易い。
【０００５】
また、サテライトが浮遊ミスト化せず記録媒体に着弾する場合でも、質量の小さいサテライトは気流による影響を受け易く、気流の影響で飛翔方向が変動し易い。その結果、その結果、サテライトの記録媒体上での着弾位置が変動し濃度ムラが発生し易い。
【０００６】
また、サテライトが共通液室５０４方向に力を受けて吐出すると、主滴と異なる飛翔方向となるため、記録ヘッドを記録媒体上を往復スキャンさせて記録を行う場合には、往路と復路で主滴とサテライトの重なり方が変化し濃度ムラが発生し易い。
【０００７】
以上のようにサテライト部分が小さくなることに対する対策としては、特許文献１及び特許文献２に開示されているものがある。図１２（ａ）は、特許文献１に開示されている記録ヘッドの構成部品を分解してそれぞれを示した斜視図である。図１２（ｂ）は、その構成部品が組み立てられた記録ヘッドにおける要部である吐出口の周辺の断面図である。また、図１３（ａ）は、特許文献２に開示されている記録ヘッドの要部を拡大して破断した断面図である。図１３（ｂ）は、図１３（a）に示される記録ヘッドの断面図である。
【０００８】
上記の特許文献１、２においては、インク供給口に導かれたインクをさらに吐出方向へ導き、そこから吐出方向に対して直交する方向にインクを導き、そこでヒータによって液体に熱エネルギーを与えている。吐出口に対して液体を供給するための通路は吐出口の両側部に形成され、吐出される液体は吐出口の両側部から吐出口へ供給されているためにインクの吐出の際に気泡の成長に影響を与えるようなインク流れの偏りが抑えられている。これにより、吐出の際に液滴に対して偏った力を与えることが抑えられている。
【０００９】
その結果、気泡はヒータを中心に略対称に成長し、略対称に収縮する。そのため、吐出するインクの尾引きは真っ直ぐで短く太いものとなり易い。その結果、液滴形成過程で尾引きが分裂して形成されるサテライトは大きくなり易く、液滴の飛翔方向も、吐出口形成面に対してほぼ直交した吐出方向に真っ直ぐに吐出される。さらに、このときの主滴部分の飛翔方向も同様に吐出口形成面に対してほぼ直交した吐出方向に真っ直ぐなものとなる。このように、液体を吐出する際に発生するサテライトが大きくなるので、サテライトの着弾位置が気流の影響を受け難くなって安定化し、高速記録や小液滴による記録の際にも濃度ムラが発生し難くなる。また、サテライトが大きくなるので、記録媒体への到達率が上がり、記録媒体に着弾しないでプリンタ筐体内で浮遊するミストが減るので、プリンタ本体内部や紙面の汚れが減少する上、電気基板やエンコーダが故障し難くなる。サテライトと主滴が共に吐出口形成面にほぼ直行する方向に真っ直ぐに吐出されると、記録動作時の往路と復路とで主滴とサテライトとの着弾位置のずれが小さくなるので、往復記録動作時に濃度差が発生し難くなる。これにより、記録媒体上に得られる画像において濃度ムラが発生し難くなる。
【先行技術文献】
【特許文献】
【００１０】
【特許文献１】特開昭６０−２０６６５３号公報
【特許文献２】米国特許公報第６６６０１７５号
【発明の概要】
【発明が解決しようとする課題】
【００１１】
しかしながら、上記特許文献１の方法によると、貯蔵槽に一旦貯留されているインクが供給管によってさらにインクの吐出方向に導かれているが、導かれたインクは、インク流路における吐出口の列方向の中央部付近に連通しているのみである。従って、インク流路並びの中央部に位置する共通液室内のインクについては吐出されるか、あるいは吸引回復によって吸い出されることになるので、共通液室に留まったままとはならずに記録ヘッドから排出される。しかしながら、供給管から離れた部位に位置する共通液室内インクについては、吸引回復を行ったとしても、インク流れが生じ難いので吸引されないままそこに残り易い。従って、その部位には気泡が溜まり易く、その気泡がインクの吐出に影響を及ぼし吐出特性が変動し易くなり、良好な吐出状態を安定的に維持するのが困難になり易い。
【００１２】
また、特許文献２の方法によると、インク供給口に導かれたインクが、基板とオリフィスプレートとの間に配置された層に孔が形成され、その孔を通ってインクがさらに吐出方向に導かれている。しかし、その孔を通って供給されることがインクの流れの抵抗となる。この抵抗は、孔の大きさが小さい程大きくなり、また、孔の内部における流路の長さが長い程大きくなる。この抵抗が大きくなると、インクの再充填速度（以下、リフィル速度）が遅くなり、液滴の繰り返し吐出周波数（以下、駆動周波数）が低くなる。これによって、記録装置におけるスループットが低下する。
【００１３】
このインクの流れの抵抗に関する対策として、孔の径を大きくすること、及び孔の形成された層の厚みを薄くすることが考えられる。インクの通る孔の径を大きくすることで、インクの流れの抵抗を低減させることが可能となる。これにより、記録装置におけるスループットが向上する。しかし、孔の径を大きくすると圧力室自体が大きくなるため、吐出口間の距離が大きくなり、吐出される液滴の間隔が大きくなる。従って、記録ヘッド上の吐出口の密度が小さくなるので、吐出された液滴による解像度が低下することになり、記録装置によるスループットが結局抑えられることになる。また、孔によって形成される流路を短くするために孔の形成されている層の厚みを薄くすることについては、これを極端に薄くすると記録ヘッドの必要強度が保てなくなる。また、この層を介して拡散し放熱される熱量が低下することから、ヒータで発生した熱を逃がすことができずに、ヒータ部の昇温が大きくなってしまう。従って、記録ヘッドの昇温を抑えるために駆動周波数を上げることができず、やはりスループットを高くできない。
【００１４】
そこで、本発明の目的は上記の事情に鑑み、共通液室内の泡溜まりを防止しながら、高密度なノズル配置と高い駆動周波数で液滴を安定的に吐出し、記録媒体に主滴とサテライトを安定的に着弾させる記録ヘッドを提供することである。
【課題を解決するための手段】
【００１５】
本発明の液体吐出ヘッドは、液体を吐出するために利用されるエネルギーを発生する複数のエネルギー発生素子が第１の方向に配列される複数のエネルギー発生素子列と、複数の前記エネルギー発生素子列に流路を介して液体を供給する、前記第１の方向に延在する供給口と、が形成される基板を有する液体吐出ヘッドにおいて、前記複数のエネルギー発生素子列は、前記基板の一端部側に形成される第１のエネルギー発生素子列と、前記基板の中央部側に形成される、前記第１のエネルギー発生素子列により吐出される液滴より多い量の液滴を吐出する第２のエネルギー発生素子列と、を含み、前記第１のエネルギー発生素子列に含まれる各々のエネルギー発生素子には１本の流路が接続され、前記第２のエネルギー発生素子列に含まれる各々のエネルギー発生素子には一方側に延在する第１流路と、前記一方側とは反対の他方側に延在する第２流路が接続されることを特徴とする。
【発明の効果】
【００１６】
本発明によれば、共通液室内の溜まりを防止しながら、高密度なノズル配置と高い駆動周波数で液滴を安定的に吐出し、記録媒体に主滴とサテライトを安定的に着弾させる液体吐出ヘッドを提供することができる。
【図面の簡単な説明】
【００１７】
【図１】（ａ）は本発明の第一実施形態に係る記録ヘッドの平面図であり、（ｂ）は（ａ）におけるＡ−Ａ’線に沿う断面図である。
【図２】（ａ）は本発明の第二実施形態に係る記録ヘッドの平面図であり、（ｂ）は（ａ）におけるＡ−Ａ’線に沿う断面図である。
【図３】（ａ）は本発明の第三実施形態に係る記録ヘッドの平面図であり、（ｂ）は（ａ）におけるＡ−Ａ’線に沿う断面図である。
【図４】（ａ）は本発明の第四実施形態に係る記録ヘッドの平面図であり、（ｂ）は（ａ）におけるＡ−Ａ’線に沿う断面図である。
【図５】（ａ）は本発明の第五実施形態に係る記録ヘッドの平面図であり、（ｂ）は（ａ）におけるＡ−Ａ’線に沿う断面図である。
【図６】（ａ）は本発明の第六実施形態に係る記録ヘッドの平面図であり、（ｂ）は（ａ）におけるＡ−Ａ’線に沿う断面図である。
【図７】（ａ）は本発明の第七実施形態に係る記録ヘッドの平面図であり、（ｂ）は（ａ）におけるＡ−Ａ’線に沿う断面図である。
【図８】（ａ）は本発明の第八実施形態に係る記録ヘッドの平面図であり、（ｂ）は（ａ）におけるＡ−Ａ’線に沿う断面図である。
【図９】（ａ）は本発明の第九実施形態に係る記録ヘッドの平面図であり、（ｂ）は（ａ）におけるＡ−Ａ’線に沿う断面図である。
【図１０】（ａ）は本発明の第十実施形態に係る記録ヘッドの平面図であり、（ｂ）は（ａ）におけるＡ−Ａ’線に沿う断面図である。
【図１１】（ａ）は従来の記録ヘッドの平面図であり、（ｂ）は（ａ）におけるＡ−Ａ’線に沿う断面図である。
【図１２】（ａ）は従来の記録ヘッドの別の例の部品それぞれの斜視図であり、（ｂ）は（ａ）における記録ヘッドが組み立てられた際の断面図である。
【図１３】（ａ）は従来のさらに別の例の記録ヘッドを破断した斜視図であり、（ｂ）は（ａ）における記録ヘッドの断面図である。
【発明を実施するための形態】
【００１８】
（第一実施形態）
以下、本発明を実施するための第一実施形態について添付図面を参照しながら説明する。
【００１９】
図１（ａ）は、本発明の液体吐出ヘッドとしての記録ヘッド１の平面図である。また、図１（ｂ）は、図１（ａ）に示されるＡ−Ａ’線に沿う断面図である。本実施形態の記録ヘッド１は、基板２にオリフィスプレート３が接合されて形成されている。図１（ａ）に、オリフィスプレート３の平面図を示す。
【００２０】
基板２には、記録ヘッド１にインクを導入するために基板２を裏面から表面に貫通して液体供給口としてのインク供給口４が形成されている。インク供給口４の内部にインクが供給されて記録ヘッド１の内部にインクが導入される際には、インク供給口４における基板２の裏面から表面に向かう方向にインクが供給される。本実施形態では、図１（ａ）のＡ−Ａ’線に沿ってインク供給口４が三つ形成されている。そして、基板２とオリフィスプレート３が接合されることで、それらの間に共通液室５が画成される。共通液室５にはインク供給口４が連通しており、共通液室５におけるインク供給口４と共通液室５とが連通している部分のことを液体供給口連通部としてのインク供給口連通部６とする。本実施形態では、共通液室５に連通したインク供給口４は、一方向に長く形成されて、そのインク供給口４が複数列状に配列されている。基板２には、共通液室５に面するように、インクを吐出するために利用されるエネルギーを発生する吐出エネルギー発生素子としてのヒータ９が配置されている。本実施形態では、ヒータ９は、通電に応じて発熱する電気熱変換素子である。そして、オリフィスプレート３には、ヒータ９に対向して、共通液室５の内部に貯留されたインクを、外部に吐出可能なように共通液室５と記録ヘッド１の外部とが連通する吐出口７が形成されている。吐出口７は、複数形成されて所定方向に列をなして形成されている。本実施形態では、吐出口７はインク供給口４の延びている方向と同じ方向に複数配列され、図１（ａ）のＡ−Ａ’線に沿って二列に配列されている。共通液室５と吐出口７とが連通している部分のことを吐出口連通部８とする。そして、本実施形態では図１（ａ）のＡ−Ａ’線に沿う断面において、三つのインク供給口連通部６の間に二つの吐出口連通部８が形成されている。
【００２１】
本実施形態では、二列の吐出口７に対応して、二列のヒータ９が基板２に埋め込まれ、吐出口７に対向して配置されている。そして、隣接するインク供給口４の間で、それぞれのインク供給口４の縁部１０から、そのインク供給口４に最も近い位置にある吐出口７の縁部１１までの距離が等しい。すなわち、吐出口７を中心に、吐出口７からインク供給口４までのインクの流路が対称に形成されている。
【００２２】
複数の流路１７の配列の両側においてインク供給口４が配置され、少なくとも一方の側のインク供給口４は、流路１７の配列の全範囲に沿って所定の数が配置される。また、圧力室１４に接続されている流路１７のうち、少なくとも一方の流路１７は、共通液室５を介して、インク供給口４に接続されている。本実施形態では、圧力室１４に接続されている流路１７の両方が、共通液室５を介して、インク供給口４に接続されている。ここで、インク供給口が配置される所定の数は、吐出口の配列の方向に沿って、一つのインク供給口が配置されても良いし、後述するようにインク供給口が複数に分割されて配置されても良い。そして、インク供給口４は、流路１７の配列方向に亘って複数の流路１７が連通するように配置され、複数の流路１７の配列に沿って長さを有している。本実施形態においては、配列された複数の流路１７と略同じ長さを有する連続したインク供給口４が三つ配置されている。この三つのインク供給口４によって二つの流路１７の列が挟まれた構成となっている。このように、インク供給口４が配置されているので、複数の流路１７においてはそれぞれの一方の側と他方の側との両方からインクが供給されることになる。
【００２３】
本実施形態では、インク供給口４の延びる方向と同じ方向に並べられて配列されている吐出口７のそれぞれの間には、隔壁１２が形成されている。これによって、吐出口７及びヒータ９が、隔壁１２によってインク供給口４の延びる方向に対して区切られた流路１７の内部に配置されることになる。従って、後述するヒータ９によって発生される気泡の膨張によって、効率的に液滴が吐出されることになる。また、吐出口７が並べられている吐出口列の両側部には、複数の円柱状のノズルフィルタ１３が配置されている。これによって、吐出口７及びヒータ９の周囲に、インク中に含まれるゴミ等の異物が入り込むことによってインクの吐出に影響を及ぼすことを抑えることができる。また、ノズルフィルタ１３が荷重を支持することで記録ヘッド１の強度が向上されている。ここで、基板２、オリフィスプレート３及び隔壁１２によって囲まれ、吐出口７に隣接する領域を圧力室１４とする。圧力室１４は、共通液室５に連通して、インク供給口連通部６の間に挟まれて形成されている。そして、圧力室１４に対して対向する位置に複数の流路１７が接続されている。そして、インク供給口４を介して複数の流路１７のそれぞれに供給されたインクが、ヒータ９の駆動に伴って外部に吐出される。
【００２４】
次に、インクが吐出される際の記録ヘッド１の動作について説明する。
【００２５】
ヒータ９に通電すると、電気エネルギーが熱に変換されてヒータ９が発熱する。これにより、ヒータ９に面した圧力室１４の内部でヒータ９上に位置したインクが膜沸騰し、気泡が生じる。圧力室１４の内部で気泡が生じる際に圧力が発生するので圧力室１４内部のインクは発生した圧力によってヒータ９の上方に位置したインクは吐出口７の方へ押され、インクが吐出口７から吐出される。吐出口７から吐出されたインクは、記録媒体における所定位置に着弾することになる。
【００２６】
このとき、共通液室５における圧力室１４内部に貯留されたインクがヒータ９の駆動によって吐出されると共に、インク供給口４から共通液室５の内部にインクが供給される。インク供給口４からインク供給口連通部６を通って共通液室５の内部に入り込んだインクは、ノズルフィルタ１３の間を通って圧力室１４の内部に入り、吐出口連通部８を通り、吐出口７から吐出される。ここで、共通液室５を介して圧力室１４にインクを供給するインク供給口４は吐出口７の両側部に形成されている。従って、吐出口７へは、圧力室１４を挟む両者のインク供給口４からインクが供給され、つまり、流路１７における一方の側と他方の側との両方からインクが供給されることになる。これにより、吐出口７に供給されるインクの流れが一方向からのみに偏らず、吐出口７へインクがバランス良く供給されることになる。
【００２７】
また、本実施形態では、隣接するインク供給口４同士で、それぞれのインク供給口４の縁部１０から、そのインク供給口４に最も近い位置にある吐出口７の縁部１１までの距離が等しく形成されている。そして、吐出口７を中心に、インク供給口４までのインクの流路が対称的に形成されている。従って、インク供給口４から圧力室１４に供給される際のインク流れの損失等の条件は、隣り合うインク供給口４同士で略変わらないので、それぞれのインク供給口４から吐出口７に供給されるインクは略等しい。よって、気泡が成長する際に、吐出口７に供給されるインクの流量が隣り合うインク供給口４同士で略等しいので、気泡の成長が偏ってしまうことが抑えられる。
【００２８】
また、収縮の際にも気泡が偏らずに、ヒータ９の中心に向かってバランス良く収縮することになる。
【００２９】
気泡が偏らずにバランス良く成長、収縮を行うことから、吐出するインクの尾引きは太く真っ直ぐなものとなる。その結果、液滴形成過程で尾引きが分裂して形成されるサテライトは大きくなり、サテライトの飛翔方向も吐出口形成面に対してほぼ直交して吐出方向に真っ直ぐに吐出される。このとき複数のサテライトの飛翔方向が一致しているため近接しているサテライト同士は合体し更に大きなサテライトになる。また、このときの主滴部分の飛翔方向も同様に吐出口形成面に対してほぼ直交した吐出口形成面１５に直交する吐出方向に真っ直ぐなものとなる。
【００３０】
上述のようにサテライトが大きくなると、サテライトの着弾位置が気流の影響を受け難くなり、高速記録や小液滴による記録の際にも濃度差が生じ難くなり、その結果、画像に濃度ムラが発生し難くなる。また、サテライトが大きくなると記録媒体へのサテライトの到達率が上がり、記録ヘッドと記録媒体との間で浮遊するミストが減る。その結果、プリンタ本体内部に浮遊ミストが付着することによる紙面の汚れが減少する上、電気基板やエンコーダが故障し難くなる。また、サテライトと主滴が共に吐出口形成面に略直行する方向に真っ直ぐに吐出されると、記録動作時の往路と復路とで主滴とサテライトとの着弾位置のずれが小さくなるので、往復記録動作時に濃度差が発生し難くなる。
【００３１】
また、特許文献２ではインクは孔を通って吐出口の形成された流路にインクが供給されていた。これに対して、本実施形態では、開口面積の大きなインク供給口を通って吐出口の形成された流路にインクが供給されている。従って、インクが吐出口に供給され、吐出口から吐出されるまでに、インクの流れへの抵抗が小さく済む。これにより、インクのリフィル速度が向上し、これに伴ってインクを吐出する際の駆動周波数が高くなり、記録装置によるスループットが向上する。
【００３２】
吸引回復時には、吐出口７がキャッピングされ、そこに負圧がかけられることで圧力室１４の内部に貯留されているインクが吸引される。そして、本実施形態では、インク供給口４の長手方向の長さは、配列された吐出口７の列の長さに略等しく形成されている。従って、吸引回復時にはそれぞれの吐出口７から一様に吸引されることにより、圧力室１４あるいはインク供給口４の列全体に亘ってインクの流れを発生させることが可能となる。従って、共通液室５の全体に亘って、圧力室１４の内部の一部に、除去されないインクが残って留まり続けることを防ぐことができる。これにより、吸引及びその後のインクの再充填によって、共通液室５内の全体に亘ってインクがリフレッシュされ、共通液室５内に泡が溜まり難くなる。その結果、適正な吐出を安定的に維持することが可能となる。これに対して特許文献１の記録ヘッドでは、吐出口の形成されたインク流路に対して供給管が中央部でのみインクを供給することから、共通液室５内の流れが不均一になり、共通液室５内に泡が溜まってしまい適正な吐出が維持困難になるという問題があった。
【００３３】
また、圧力室１４が流路の外部にあるので吐出口７を高密度に配置して高解像度の記録を維持することが可能となる。
【００３４】
なお、本実施形態では、インク供給口４の長さと吐出口７の列の長さとを略等しくしたが、インク供給口４の長さが吐出口７の列の長さよりも長く形成されても構わない。また、本実施形態では、インク供給口４は、Ａ−Ａ’線に沿って三列が形成されることとしたが、記録ヘッド１に形成されるインク供給口４の列の数としては、三列に限定されず、四列以上であっても良いし、二列であっても良い。
【００３５】
（第二実施形態）
次に、図２（ａ）、（ｂ）を用いて、第二実施形態について説明する。なお、上記第一実施形態と同様に構成できる部分については図中同一符号を付して説明を省略し、異なる部分についてのみ説明する。
【００３６】
図２（ａ）は、第二実施形態における記録ヘッド２１の平面図である。また、図２（ｂ）は、図２（ａ）に示されるＡ−Ａ’線に沿う断面図である。
【００３７】
上記第一実施形態の記録ヘッド１では、三列のインク供給口の全ては、吐出口の列が延びている方向と同じ方向に延び、長手方向の全体に亘って連続して形成されている。これに対して、第二実施形態の記録ヘッド２１は、インク供給口２４が、長手方向に複数に分割されて形成されている。
【００３８】
第一実施形態では、図１のＡ−Ａ’線に沿って三列に配置されたインク供給口のうち、外側に配置されている二つのインク供給口について、長手方向の全体に亘って連続したインク供給口４を配置している。従って、中央の列に配置されているヒータ９に電力を供給するための配線は、外側に配置されているインク供給口４を迂回しながら開口部とヒータの間に配置せざるを得ない。そのため、吐出口及びこれに対応するヒータの数が多くなると、それに伴い配線の占める面積が大きくなる。これにより、吐出口とインク供給口との距離が離れることになり、基板が大きくなることで記録ヘッドの製造にかかるコストが高くなる虞がある。
【００３９】
これに対して、第二実施形態における記録ヘッド２１によれば、複数の流路１７の配列の両側に配置されたインク供給口のうち、少なくとも一方の側のインク供給口は、吐出口７が配列されている方向に複数に分割されて配置されている。本実施形態では、インク供給口２４が流路１７の配列されている方向に三つに分割されている。本実施形態では、インク供給口２４が配置される所定の数は三つとされているが、三つに限定されず、四つ以上であっても良い。その際、複数のインク供給口のうちの一つのインク供給口は、吐出口７の配列の方向に沿って二つ以上の複数の流路１７に沿って形成される。
【００４０】
本実施形態の記録ヘッド２１によれば、インク供給口２４が流路の配列されている方向に対して複数に分割されているので、分割されたインク供給口２４の間に、ヒータ９に電力を供給するための配線を通すことが可能となる。配線を配置するのにインク供給口を迂回しなくても良くなるので、配線を配置するためのスペースを小さくすることができる。また、これによってヒータとインク供給口との距離を近付けることができる。その結果、基板２を小さくでき、記録ヘッド２１の製造にかかるコストを低減させることが可能となる。
【００４１】
また、記録ヘッドでは、基板２に配置されたヒータ９の駆動によって発生した熱の一部が基板２の中を介して記録ヘッド１の外部に拡散する。しかし、第一実施形態の記録ヘッド１では、吐出口７に対応した位置に配置されているヒータ９が長手方向に連続した長いインク供給口４で挟まれているために、ヒータ９の列の中央部で発生した熱はインク供給口４を迂回して拡散させなければならない。これにより、インク供給口４の長手方向に直交する方向への熱の拡散量は少ない。従って、配列されているヒータ９の両端部の周辺から発せられる熱に関しては、インク供給口４の長手方向に拡散することで冷却されるが、ヒータ９の列の中央部から発せられる熱に関してはあまり拡散されず、中央部の周辺が比較的高温となることがある。
【００４２】
これに対して、本実施形態の記録ヘッド２１によれば、複数に分割されたインク供給口２４の間を通って熱の拡散が可能となり、ヒータ９の列の中央部から発せられる熱もインク供給口２４の間を通って記録ヘッド２１の外部に放熱されて冷却される。従って、ヒータ９の周囲における基板２上の温度分布の位置による差が小さくなる。その結果、吐出口７の列方向に対して吐出量分布が均一となり、吐出口７ごとの濃度差が小さくなる。従って、記録ヘッド２１を用いた記録によって得られる画像での濃度ムラが発生し難くなる。
【００４３】
なお、本実施形態では、三列のインク供給口が配置された記録ヘッドについて説明したが、本発明の記録ヘッドはこれに限定されない。外側に位置するインク供給口が吐出口の列が延びている方向に複数に分割されていれば、三列以上のインク供給口が配置された記録ヘッドが用いられても良い。また、分割したインク供給口の分割数を三つとしたが、これに限定されず、四つ以上であっても良く、二つであっても良い。
【００４４】
（第三実施形態）
次に、図３（ａ）、（ｂ）を用いて、第三実施形態について説明する。なお、上記第一実施形態及び第二実施形態と同様に構成できる部分については図中同一符号を付して説明を省略し、異なる部分についてのみ説明する。
【００４５】
図３（ａ）は、第三実施形態における記録ヘッド３１の平面図である。また、図３（ｂ）は、図３（ａ）に示されるＡ−Ａ’線に沿う断面図である。
【００４６】
上記第一実施形態では、三列のインク供給口の全てが吐出口の列が延びている方向と同じ方向に延び、長手方向の全体に亘って連続して形成されていることとした。また、上記第二実施形態では、複数のインク供給口のうち外側に配置されているものについては複数に分割され、中央部に位置しているものについては長手方向の全体に亘って連続して形成されていることとした。これに対して、第三実施形態の記録ヘッド３１では、吐出口の列が延びている方向に対して直交する方向に並べられている複数のインク供給口のうち、全てのインク供給口について、吐出口の列が延びている方向に複数に分割されることとした。
【００４７】
これにより、吐出口に対応した位置に配列されているヒータの列の中央部から発せられる熱を、複数に分割されたインク供給口の間の部分を通して熱を拡散することができ、そこから外部に放熱することができるようになる。これにより、さらにヒータの列の中央部周辺の温度上昇を抑えることができるので、ヒータの列の周辺における温度分布の差を小さく抑えることができる。その結果、吐出口ごとのインクの吐出量の差を小さく抑えることができ、得られる画像における濃度の差を小さく抑えることができる。
【００４８】
なお、本実施形態では、三列の分割されたインク供給口が配置された記録ヘッドについて説明したが、本発明の記録ヘッドはこれに限定されない。分割されたインク供給口は四列以上であっても良いし、二列であっても良い。
【００４９】
（第四実施形態）
次に、図４（ａ）、（ｂ）を用いて、第四実施形態について説明する。なお、上記第一実施形態ないし第三実施形態と同様に構成できる部分については図中同一符号を付して説明を省略し、異なる部分についてのみ説明する。
【００５０】
図４（ａ）は、第四実施形態における記録ヘッド４１の平面図である。また、図４（ｂ）は、図４（ａ）に示されるＡ−Ａ’線に沿う断面図である。
【００５１】
上記第一実施形態ないし第三実施形態においては、記録ヘッドにおける吐出口の列が並べられている方向の略全体に亘って形成されている比較的大きなインク供給口が形成されている。これに対して、本実施形態の記録ヘッド４１では、共通液室４５から外側に向かって延びている流路４６が形成されている。そして、複数の流路４６の配列の両側に配置されたインク供給口のうち、一方の側のインク供給口２４は、共通液室４５に連通するように形成されている。また、複数の流路４６の配列の両側に配置されたインク供給口のうち、他方の側に形成された流路内インク供給口４４は、流路４６内に連通するように形成されている。
【００５２】
本実施形態では、共通液室４５と連通してインク供給口の配列方向に対して直交する方向に延びた流路４６が形成されている。そして、流路４６に対して連通するように、流路内インク供給口４４が形成されている。ここで、共通液室４５とインク流路１７とが連通した部分を流路連通部４９とし、流路内インク供給口４４と流路４６とが連通した部分を流路内インク供給口連通部４７とする。本実施形態では、流路連通部４９と、流路内インク供給口連通部４７との間の空間に、流路４６と連通するように吐出口７が形成されている。そして、流路４６と吐出口７とが連通する部分を吐出口連通部４８とする。本実施形態では、流路４６に連通するように形成された流路内インク供給口４４が流路４６の外側のほぼ端部で連通しており、吐出口７は、流路４６の外側端部よりも内側の部分で流路４６と連通している。
【００５３】
本実施形態の記録ヘッド４１によれば、ヒータ９の駆動によって発生する気泡の成長を妨げない構造とすると共に、流路４６と連通した流路内インク供給口４４の開口面積を狭く形成することができるようになる。従って、その分基板２の面積を小さくすることができる。これにより、その分記録ヘッド４１の製造コストを低減することができる。
【００５４】
なお、本実施形態では流路４６に連通する流路内インク供給口４４と中央部のインク供給口２４とによってインクが供給される構成としたが、流路４６内部に二つの流路内インク供給口４４が連通するように形成されその間に吐出口が形成される構成も考えられる。しかし、特許文献２の構成のように流路４６に連通する二つの流路内インク供給口４７によって挟まれた吐出口７からインクを吐出することとした場合、高解像度のノズル配置を実現しようとすると、流路内インク供給口４７の開口面積が小さくなってしまう。この場合、インクを流路４６内部の圧力室１４に供給するのに、開口面積が小さく抵抗の大きい流路内インク供給口４７を通って供給されなければならず、インクの吐出後圧力室内にインクをリフィルさせるリフィル速度が低下してしまう。これにより、駆動周波数が低下してしまうので、記録ヘッド４１によるスループットが低下してしまう。一方、流抵抗を低減するためにインク供給口４４の開口面積を大きくするとノズル解像度を低密度化せざるを得ず、ノズルの高密度化と高リフィル周波数の両立が困難であった。
【００５５】
そのため、本実施形態のように、吐出口を挟んで形成されるインク供給口は二つ共に流路４６に連通するのではなく、そのうち一方が流路４６に連通し、他方は共通液室に連通し複数の流路４６に沿って比較的大きく形成されている方が好ましい。この構成によってノズルを高密度に配置しながらインクのリフィル時におけるインクの流れる流路の抵抗が大きくならず、リフィル速度の低減を抑えることができる。
【００５６】
（第五実施形態）
次に、図５（ａ）、（ｂ）を用いて、第五実施形態について説明する。なお、上記第一実施形態ないし第四実施形態と同様に構成できる部分については図中同一符号を付して説明を省略し、異なる部分についてのみ説明する。
【００５７】
図５（ａ）は、第五実施形態における記録ヘッド５１の平面図である。また、図５（ｂ）は、図５（ａ）に示されるＡ−Ａ’線に沿う断面図である。
【００５８】
上記第三実施形態では、吐出口の列の延びている方向に複数に分割されたインク供給口４が三列形成されている構成に関して説明した。第五実施形態の記録ヘッド５１は、三列のインク供給口４に加えて、その両側部の外側に一列ずつ分割されたインク供給口２４が共通液室５に連通して形成されている。また、それらのインク供給口２４の間には、吐出口７及びそれに対応した位置にヒータ９が配置されている。そして、本実施形態の記録ヘッド５１における最も外側に形成されている吐出口７は、径が小さく形成されることで、内側に形成されている吐出口７よりも吐出量が少なくなるように形成されている。異なる吐出量の吐出口が形成されることで、記録の際に吐出される液滴の量を調節することが可能となり、高品位な画像の記録を行うことができる。また、記録の高速化を図ることもできる。
【００５９】
このように、本発明の記録ヘッドは、インク供給口は三列に限定されず、四列以上の数であっても良い。また、インク供給口の間に形成される吐出口も二列でなくとも良く、三列以上であっても良い。また、吐出口の大きさも一様でなくとも良く、所望の吐出量に応じて吐出口の大きさを変化させても良い。
【００６０】
（第六実施形態）
次に、図６（ａ）、（ｂ）を用いて、第六実施形態について説明する。なお、上記第一実施形態ないし第五実施形態と同様に構成できる部分については図中同一符号を付して説明を省略し、異なる部分についてのみ説明する。
【００６１】
図６（ａ）は、第六実施形態における記録ヘッド６１の平面図である。また、図６（ｂ）は、図６（ａ）に示されるＡ−Ａ’線に沿う断面図である。
【００６２】
上記第三実施形態では、吐出口の列の延びている方向に複数に分割されたインク供給口４が三列形成されている構成に関して説明した。第六実施形態の記録ヘッド６１はこれに加えて、共通液室６７の外側の一部に、一旦共通液室６７の外側に向かう方向に延び、そこから再び共通液室６７に戻るように延びて共通液室６７と連通する液体通路としてのインク通路６２が形成されている。そして、インク通路６２の一部に吐出口６５が形成され、インク通路６２と吐出口６５とが連通する吐出口連通部６６がそこに形成されている。吐出口６５に対応した位置にはヒータ９が配置されており、そこに圧力室１４が形成されている。本実施形態では、インク通路は、共通液室６７の外縁の一部に、共通液室６７が外側に向かって突出することで凹部６３が形成されており、その凹部６３の内部に隔壁６４が配置されることで、凹部６３の内部にインク通路６２が形成されている。
【００６３】
本実施形態の記録ヘッド６１によれば、気泡の成長が制限されないようにするために圧力室１４の外側にインク供給口を形成しなくても良いので、その分記録ヘッド６１が拡大されなくても良い。従って、記録ヘッド６１における基板の大型化を抑えることができるので、記録ヘッド６１における製造コストを抑えることができる。
【００６４】
また、本実施形態の記録ヘッド６１では、インク通路６２に形成された最も外側の吐出口６５が、インク供給口２４の間に形成された内側の吐出口列における吐出口７よりも径が小さく形成され、外側の吐出口６５から吐出される吐出量が少なく形成されている。これにより、記録の際に吐出される液滴の量を調節することが可能となり、高品位な画像の記録を行うことができる。また、記録の高速化を図ることもできる。
【００６５】
（第七実施形態）
次に、図７（ａ）、（ｂ）を用いて、第七実施形態について説明する。なお、上記第一実施形態ないし第六実施形態と同様に構成できる部分については図中同一符号を付して説明を省略し、異なる部分についてのみ説明する。
【００６６】
図７（ａ）は、第七実施形態における記録ヘッド７１の平面図である。また、図７（ｂ）は、図７（ａ）に示されるＡ−Ａ’線に沿う断面図である。
【００６７】
上記第三実施形態では、吐出口の列の延びている方向に複数に分割されたインク供給口４が三列形成されている構成に関して説明した。第七実施形態の記録ヘッド７１はこれに加えて、複数の吐出口７２は、吐出量の異なる大吐出量吐出口７３と、大吐出量吐出口７３よりも吐出される液体の吐出量が相対的に小さく形成されている小吐出量吐出口７４とを有して形成されている。そして、それらの大吐出量吐出口７３と小吐出量吐出口７４とが列の延びている方向に交互に配列されているように形成されている。従って、本実施形態の記録ヘッド７１によれば、吐出口を増加させずに記録の際に吐出される液滴の量を調節することが可能となり、記録ヘッドを大型化せずに低コストに高品位な画像の記録を行うことができる。また、記録の高速化を図ることもできる。
【００６８】
（第八実施形態）
次に、図８（ａ）、（ｂ）を用いて、第八実施形態について説明する。なお、上記第一実施形態ないし第七実施形態と同様に構成できる部分については図中同一符号を付して説明を省略し、異なる部分についてのみ説明する。
【００６９】
図８（ａ）は、第八実施形態における記録ヘッド８１の平面図である。また、図８（ｂ）は、図８（ａ）に示されるＡ−Ａ’線に沿う断面図である。
【００７０】
上記第三実施形態では、吐出口の列の延びている方向に複数に分割されたインク供給口４が三列形成されている構成に関して説明した。第八実施形態の記録ヘッド８１は、これに加えて、オリフィスプレート３と基板２との間に、共通液室５から基板２の外周方向に向かって延在する液体通路としてのインク通路８２が基板２の外周部に形成されている。そして、インク通路８２の外側の端部に近接した位置でインク通路８２に連通するようにオリフィスプレートに液体通路内吐出口としてのインク通路内吐出口８３が形成されている。基板２には、インク通路内吐出口８３に面するように、液体通路内吐出エネルギー発生素子としてのインク通路内ヒータ８９が配置されている。
【００７１】
本実施形態では、共通液室５の外側に突出して延びたインク流路８２が形成され、インク流路８２の最も外側の端部にインク通路内吐出口８３が形成されている。また、インク通路内吐出口８３に対応した位置にはインク通路内ヒータ８９が配置されており、これによって、インク通路８２の最も外側の端部に圧力室１４が形成されている。基板２の外周部に形成された圧力室１４は、インク流路８２の最も外側の端部に形成されているので、インク流路８２が圧力室１４に接続されている接続部を除いて、三方がインク流路８２を画成する壁面によって囲まれた構成となっている。そして、インク通路８２の最も外側には、インク供給口２４に挟まれている内側の吐出口７よりも径が小さい小吐出量吐出口としてのインク通路内吐出口８３が形成されている。このように、インク通路８２内に形成されたインク通路内吐出口８３によるインクの吐出量が、インク供給口の間に形成されている内側の吐出口７よりも少なくなるように設定されている。
【００７２】
本発明は、共通液室５におけるインク供給口に連通した部分の間にインク流路が形成され、そこで吐出口と連通することでヒータによって発生される気泡の成長を制限することなくインクを吐出するものである。ところが、本実施形態で外側に配置されているインク通路内吐出口８３は、インク通路８２の最も外側の端部に形成されており、インク通路８２の外側端部の壁面によってヒータにより発生された気泡の成長が制限されることが考えられる。しかしながら、径が小さく形成され、吐出量が小さく設定されているインク通路内吐出口８３は、比較的吐出量の多い内側の吐出口７よりも、気泡の成長が制限されることに対する液滴への影響が小さい。このように、吐出量の少ない吐出口では、気泡の成長が妨げられることによる影響が小さいので、インク通路の端部にヒータ及び吐出口が形成されても良い。吐出口から吐出されるインクの吐出量に応じて、吐出口が、インク供給口の間に形成されたり、インク流路の端部に形成されたりしても良い。
【００７３】
本実施形態のように、最も外側に形成されている吐出口をインク通路８２の端部に形成することで、最も外側の吐出口の外側にインク供給口が形成されなくても良いので、基板２の大型化を抑えることができ、記録ヘッドの製造コストを抑えることができる。
【００７４】
（第九実施形態）
次に、図９（ａ）、（ｂ）を用いて、第九実施形態について説明する。なお、上記第一実施形態ないし第八実施形態と同様に構成できる部分については図中同一符号を付して説明を省略し、異なる部分についてのみ説明する。
【００７５】
図９（ａ）は、第九実施形態における記録ヘッド９１の平面図である。また、図９（ｂ）は、図９（ａ）に示されるＡ−Ａ’線に沿う断面図である。
【００７６】
上記第八実施形態における記録ヘッドは、共通液室５の外側に同じ長さだけ突出したインク通路が形成され、そのインク通路の外側の端部に吐出口が形成されることとした。これに加えて本実施形態の記録ヘッド９１では、インク通路内吐出口が、吐出される液体の吐出量の異なる複数種類のインク通路内吐出口を有することとした。具体的には、共通液室５の外側に突出した長さの異なる複数のインク通路９２が千鳥状に形成され、このインク流路９２の最も外側の端部には、吐出口が形成されている。そして、突出した長さの短い短インク通路９３の最も外側の端部には、記録ヘッド９１の中で最も径の小さい小吐出量吐出口９４が形成されている。そして、突出した長さの長い長インク流路９５の最も外側の端部には、小吐出量吐出口９４よりも径が大きく、内側のインク供給口２４に挟まれて形成されている吐出口である大吐出量吐出口９６よりも径が小さく形成された中吐出量吐出口９７が形成されている。このように、インク吐出量の異なる複数種類の吐出口が形成されることで、記録の際に吐出される液滴の量をより細かく調節することが可能となり、さらに高品位な画像の記録を行うことができる。また、さらなる記録の高速化を図ることもできる。
【００７７】
また、吐出口を千鳥状に配列することで、吐出口の密度を高く保ったまま複数種類の吐出量の吐出口を形成しているので、画像の品質を高めるに際して基板２の大型化を抑えることができ、記録ヘッドの製造コストを抑えることができる。
【００７８】
なお、本実施形態では、吐出口から吐出されるインクの吐出量に応じて径の異なる三種類の吐出口が形成されることとしたが、吐出口の種類は三種類に限定されず、四種類以上であっても良い。また、それに応じてインク流路の長さを変化させても良い。
【００７９】
（第十実施形態）
次に、図１０（ａ）、（ｂ）を用いて、第十実施形態について説明する。なお、上記第一実施形態ないし第九実施形態と同様に構成できる部分については図中同一符号を付して説明を省略し、異なる部分についてのみ説明する。
【００８０】
図１０（ａ）は、第十実施形態における記録ヘッド１０１の平面図である。また、図１０（ｂ）は、図１０（ａ）に示されるＡ−Ａ’線に沿う断面図である。
【００８１】
上記第七実施形態における記録ヘッドは、吐出口が、径の大きく形成された大吐出量吐出口と、径の小さく形成されて小吐出量吐出口とを有しており、それらが列の延びている方向に交互に配置されて形成されていることとした。これらの大吐出量吐出口及び小吐出量吐出口は、隔壁によってそれらの間を区画され、隔壁によって挟まれて区画された空間が圧力室として作用している。これに加えて本実施形態の記録ヘッド１０１では、複数の吐出口にそれぞれ対応した複数の流路１７のうち、一部の流路が、流路の一方の側が塞がれて三方が囲まれるように画成された片側供給液体流路としての片側供給インク流路１０４であることとした。そして、片側供給インク流路１０４に連通するように、片側供給液体流路内吐出口としての片側供給インク流路内吐出口１０２が形成されている。本実施形態では、片側供給インク流路１０４内に形成された片側供給インク流路内吐出口１０２は、両側が開放されて両方向にインクの流通可能な流路１７内に形成されている吐出口７とは、吐出されるインクの吐出量が異なる。本実施形態では、片側供給インク流路内吐出口１０２は、流路１７内に形成されている吐出口７よりも径が小さく、吐出されるインクの吐出量が少なく設定されている。片側供給インク流路１０４では、片側供給インク流路内吐出口１０２を挟む隔壁１０３の一方の側の端部を連結すし、これによって片側供給インク流路内吐出口１０２の外側の三方が隔壁１０３によって囲まれている。
【００８２】
上述したように、吐出量の小さい吐出口では、ヒータの駆動によって発生される気泡の成長が妨げられることへの影響が小さい。従って、本実施形態における片側供給インク流路内吐出口１０２の三方が隔壁１０３によって囲まれることとしても、インクが吐出されることで得られる画像の品質の低下は少なく、サテライトの発生は許容範囲内に収まることになる。また、隔壁１０３が片側供給インク流路内吐出口１０２の一方の側の端部で連結されることにより、基板２とオリフィスプレート３との間で隔壁１０３を介して接着される接着面積を増加させることができる。また、隔壁１０３が基板２とオリフィスプレート３との間でそれらを支持する支持面積を増加させることができる。これにより、オリフィスプレート３が基板２から離間することを抑えることができる。また、これらの間に比較的大きな空間である共通液室５が画成されていることにより、比較的強度の低い部分を隔壁１０３によって支持することで強度を向上させることができ、記録ヘッド１０１の信頼性を高めることができる。
【符号の説明】
【００８３】
１、２１、３１、４１、５１、６１、７１、８１、９１、１０１  記録ヘッド
２  基板
３  オリフィスプレート
４、２４  インク供給口
５、４５、６７  共通液室
６  インク供給口連通部
７  吐出口
８  吐出口連通部
９  ヒータ
６２  インク通路
【図１】
0005451910.tif 000002
【図２】
0005451910.tif 000003
【図３】
0005451910.tif 000004
【図４】
0005451910.tif 000005
【図５】
0005451910.tif 000006
【図６】
0005451910.tif 000007
【図７】
0005451910.tif 000008
【図８】
0005451910.tif 000009
【図９】
0005451910.tif 000010
【図１０】
0005451910.tif 000011
【図１１】
0005451910.tif 000012
【図１２】
0005451910.tif 000013
【図１３】
0005451910.tif 000014